(57)【要約】【課題】圧搾溝を有し、排泄された体液を、吸収性物品の長手方向両端部にも十分に拡散させることが可能な吸収性物品を提供すること。【解決手段】液透過性のトップシートと、液不透過性のバックシートと、トップシート及びバックシートの間に配置される吸収体と、を有し、前部、股部、及び後部を有する吸収性物品であって、前部、股部、及び後部には、それぞれ圧搾溝が設けられ、股部の圧搾溝は、前部及び後部の圧搾溝とそれぞれ連通し、股部の圧搾溝の溝幅は、前部及び後部の圧搾溝の溝幅よりも広く、前部及び後部の圧搾溝の深さは、股部の圧搾溝の深さよりも深い、吸収性物品。【選択図】図１
2017086578.tif 000002
【特許請求の範囲】
【請求項１】
液透過性のトップシートと、液不透過性のバックシートと、前記トップシート及び前記バックシートの間に配置される吸収体と、を有し、前部、股部及び後部を有する吸収性物品であって、
前記前部、前記股部及び前記後部には、それぞれ圧搾溝が設けられ、前記股部の圧搾溝は、前記前部及び前記後部の圧搾溝とそれぞれ連通し、
前記股部の圧搾溝の溝幅は、前記前部及び前記後部の圧搾溝の溝幅よりも広く、
前記前部及び前記後部の圧搾溝の深さは、前記股部の圧搾溝の深さよりも深い、吸収性物品。
【請求項２】
前記前部の圧搾溝及び前記股部の圧搾溝の連結点、並びに前記後部の圧搾溝及び前記股部の圧搾溝の連結点において、前記前部の圧搾溝及び前記後部の圧搾溝が分岐している、請求項１に記載の吸収性物品。
【請求項３】
前記股部の圧搾溝の溝幅が、２ｍｍ以上１２ｍｍ以下であり、前記前部及び前記後部の圧搾溝の溝幅が、１ｍｍ以上６ｍｍ以下である、請求項１又は２に記載の吸収性物品。
【請求項４】
前記股部の圧搾溝の深さが、前記吸収体の厚みに対して３０％以上９０％以下であり、前記前部及び前記後部の圧搾溝の深さが、前記吸収体の厚みに対して４０％以上９５％以下である、請求項１から３のいずれかに記載の吸収性物品。
【発明の詳細な説明】
【技術分野】
【０００１】
本発明は、圧搾溝が設けられ、長手方向への体液の拡散性が改善された吸収性物品に関する。
【背景技術】
【０００２】
一般に吸収性物品は、液透過性のトップシートと、液不透過性のバックシートと、トップシート及びバックシートの間に配置された吸収体と、で構成されており、これにより、尿や血液等の体液は、トップシートを通って吸収体に吸収される。ここで、従来、吸収性物品においては、体液の吸収性を改善するため、トップシートから吸収体に亘るエンボス加工を施すことが広く行われている。また、軽失禁パッドや生理用ナプキン等においては、着用時のフィット性を向上させる目的も兼ねて、吸収性物品の長手方向両側縁部にエンボス溝（圧搾溝、フィットエンボス）を設けることも一般的であり、圧搾溝の底面や側壁に凹凸を設け、排泄された体液の拡散を促すことも行われている。
【０００３】
着用時のフィット性を向上させるために、圧搾溝を設けた吸収性物品としては、例えば、特許文献１に、少なくともトップシート、バックシート及び吸収体を有し、身体接触側表面における、吸収体の中央領域の長手方向両側縁部に圧搾溝が配置され、かつ複数の点状の圧搾部が間隔を空けて配置された吸収性物品が開示されている。また、特許文献２には、トップシートと、バックシートと、吸収体と、からなり、吸収体が位置する領域の身体接触側表面の両側に、長手方向に延びるとともに中央部において間隔が狭くなった一対の圧搾溝が形成され、この圧搾溝は、長手方向に相互に並列する高圧搾部と低圧搾部とを有することを特徴とする生理用ナプキンが開示されている。
【０００４】
特許文献１及び２の吸収性物品においては、その幅方向中央部に排泄された体液は幅方向に広がり、圧搾溝に達した後、圧搾溝を伝わって前後方向に拡散するものとされている。
【先行技術文献】
【特許文献】
【０００５】
【特許文献１】特開２０１０−１４８７０８号公報
【特許文献２】特開平０９−１０８２６２号公報
【発明の概要】
【発明が解決しようとする課題】
【０００６】
しかしながら、特許文献１及び２のいずれの吸収性物品においても、圧搾溝に保持される体液は、前後方向に拡散するにつれて移動量が低下する傾向にあり、圧搾溝に保持される体液は、吸収性物品の長手方向両端部には到達しないまま、横漏れする可能性があった。したがって、本発明は、以上の課題に鑑みてなされたものであり、圧搾溝を有し、排泄された体液を、吸収性物品の長手方向両端部にも十分に拡散させることが可能な吸収性物品を提供することを目的とする。
【課題を解決するための手段】
【０００７】
本発明の発明者らは、上記課題に鑑み、鋭意研究を行った。その結果、トップシートと、バックシートと、吸収体とを有し、前部、股部及び後部にそれぞれ互いに連通する圧搾溝を有する吸収性物品において、圧搾溝の溝幅及び深さを、前部及び後部と、股部とで別々に調整することにより、上記課題を解決できることを見出し、本発明を完成するに至った。具体的には、本発明は以下のものを提供する。
【０００８】
（１）  本発明の第１の態様は、液透過性のトップシートと、液不透過性のバックシートと、上記トップシート及び上記バックシートの間に配置される吸収体と、を有し、前部、股部及び後部を有する吸収性物品であって、上記前部、上記股部及び上記後部には、それぞれ圧搾溝が設けられ、上記股部の圧搾溝は、上記前部及び上記後部の圧搾溝とそれぞれ連通し、上記股部の圧搾溝の溝幅は、上記前部及び上記後部の圧搾溝の溝幅よりも広く、上記前部及び上記後部の圧搾溝の深さは、上記股部の圧搾溝の深さよりも深い、吸収性物品である。
【０００９】
（２）  本発明の第２の態様は、（１）に記載の吸収性物品であって、上記前部の圧搾溝及び上記股部の圧搾溝の連結点、並びに上記後部の圧搾溝及び上記股部の圧搾溝の連結点において、上記前部の圧搾溝及び上記後部の圧搾溝が分岐していることを特徴とするものである。
【００１０】
（３）  本発明の第３の態様は、（１）又は（２）に記載の吸収性物品であって、上記股部の圧搾溝の溝幅が、２ｍｍ以上１２ｍｍ以下であり、上記前部及び上記後部の圧搾溝の溝幅が、１ｍｍ以上６ｍｍ以下であることを特徴とするものである。
【００１１】
（４）  本発明の第４の態様は、（１）から（３）のいずれかに記載の吸収性物品であって、上記股部の圧搾溝の深さが、上記吸収体の厚みに対して３０％以上９０％以下であり、上記前部及び上記後部の圧搾溝の深さが、上記吸収体の厚みに対して４０％以上９５％以下であることを特徴とするものである。
【発明の効果】
【００１２】
本発明の吸収性物品によれば、前部及び後部に設けられる圧搾溝の溝幅を、股部の圧搾溝の溝幅よりも狭くし、前部及び後部に設けられる圧搾溝の深さを、股部の圧搾溝の深さよりも深くしているので、股部の圧搾溝を拡散し、前部及び後部の圧搾溝に到達した体液が、より早い速度で圧搾溝を拡散し、体液を、吸収性物品の長手方向両端部にまで十分に拡散させることができる。
【図面の簡単な説明】
【００１３】
【図１】本発明の吸収性物品をトップシート側から見た平面図である。
【図２】本発明の吸収性物品の前部及び股部の境界部における圧搾溝の拡大平面図である。
【図３】本発明の吸収性物品の、（ａ）股部並びに（ｂ）前部及び後部における、着用時の変形の様子を示す図面である。
【発明を実施するための形態】
【００１４】
以下、図１から図３を参照して、本発明の実施形態に係る吸収性物品１について詳細に説明する。なお、本実施形態の説明においては、全体を通して同じ要素には同じ符号を付している。本明細書における以下の説明において、体液とは、尿、血液、軟便中の水分等の体内から体外に排出される液体をいう。さらに、吸収性物品１の着用時とは、吸収性物品１の装着時及び装着後の少なくとも一方を示す。なお、本明細書の説明において、吸収性物品１の長手方向とは、吸収性物品１が着用されたときに着用者の前後に亘る方向であり、図中、符号Ｙで示す方向である。また、吸収性物品１の幅方向とは、長手方向に対して横又は直交する方向であり、図中、符号Ｘで示す方向である。さらに、本明細書において、吸収性物品１の身体接触側表面とは、吸収性物品１の着用時に着用者の肌に当接する表面を指し、衣類接触側表面とは、吸収性物品１の着用時に着用者の衣類に接触する表面を指す。本明細書においては、吸収性物品１の身体接触側表面側を上側と称し、衣類接触側表面側を下側と称することがある。
【００１５】
＜吸収性物品＞
図１は、本発明の吸収性物品１をトップシート１０側から見た平面図である。本発明の実施形態に係る吸収性物品１としては、図１に示すような軽失禁パッドが例示されるが、本発明はこれに限定されるものではなく、軽失禁ライナー、生理用ナプキン、その他の吸収性物品であってもよい。吸収性物品１は、身体接触側表面に配置された液透過性のトップシート１０と、トップシート１０に対向し、衣類接触側表面に配置された液不透過性のバックシート３０と、トップシート１０及びバックシート３０の間に配置された吸収体２０と、を備え、これにより、吸収体２０は、トップシート１０とバックシート３０との間に挟まれた構造となっている。吸収性物品１は、着用者の前側に位置する前部１ａと、着用者の股間に位置する股部１ｂと、着用者の後側に位置する後部１ｃとを有し、それぞれの領域に圧搾溝２１が形成されている。
【００１６】
［トップシート］
トップシート１０は、吸収体２０に向けて体液を速やかに通過させるものであり、吸収体２０を挟んで、バックシート３０と対向して配置されている。トップシート１０は、肌と当接するシートとなることから、柔らかな感触で、肌に刺激を与えないような基材、例えば、エアスルー不織布を代表とするサーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、又はこれらを積層した複合シートといった材料から形成される。トップシート１０は、単層であっても、複数層積層していてもよく、ドライタッチ性を付与するために多数の透孔が形成されていてもよい。
【００１７】
不織布としては、ポリプロピレンやポリエチレン等の合成繊維やレーヨン等の再生繊維、綿等の天然繊維を用いて、サーマルボンド法のほか、スパンレース法やスパンボンド法等の公知の加工法によって得られたものも用いることができる。加工性及び強度の点から、トップシート１０の坪量は、１８ｇ／ｍ２以上４０ｇ／ｍ２以下であることが好ましい。トップシート１０には、肌への刺激を低減させるために、ローション、酸化防止剤、抗炎症成分、ｐＨ調整剤、抗菌剤、保湿剤等を適用してもよい。トップシート１０は、着用者の股部が位置づけられる長手方向中央に括れ部を有する砂時計形状、略矩形状等の形状を有していてもよく、吸収体２０の側縁よりも若干外方に延在して設けられていてもよい。
【００１８】
なお、本発明においては、吸収体２０の上面への体液の拡散を促進するため、トップシート１０と吸収体２０との間に、液拡散性シートを設けてもよい。斯かる液拡散性シートとしては、例えば、エアスルー不織布、ポイントボンド不織布、スパンボンド不織布、メルトブロー不織布等の不織布や、スパンボンド／メルトブロー、スパンボンド／メルトブロー／スパンボンドを積層した複合不織布を挙げることができる。液拡散性シートの厚さは０．１ｍｍ以上であることが好ましく、その坪量は１５ｇ／ｍ２以上であることが好ましい。液拡散性シートの形状は、特に制限はないが、尿等の液体がくまなく吸収体２０に拡散するよう、吸収体２０の表面を完全に覆うことができる形状であることが好ましい。
【００１９】
［バックシート］
バックシート３０は、吸収性物品１の外部に体液が漏れないよう、液不透過性を有し、遮水性を有するシート材が用いられるが、ムレ防止のために透湿性を有していてもよい。このような特性を有するバックシート３０の材料としては、例えば、ポリエチレンシートやポリエチレンラミネート不織布等の厚みの薄いプラスチックシートを挙げることができる。バックシート３０は、着用者の股部が位置づけられる長手方向中央に括れ部を有する砂時計形状、略矩形状等の形状を有していてもよく、吸収体２０の側縁より若干外方に延在して設けられていてもよい。バックシート３０の衣類接触側表面には、着用時に下着等に吸収性物品１を固着するための粘着剤層が設けられていてもよい。吸収性物品１が粘着剤層を有する場合、粘着剤層を保護するための剥離シートを有していてもよく、この剥離シートは、吸収性物品１の包装シートと一体となっていてもよい。トップシート１０及びバックシート３０は、長手方向端部等、端部の少なくとも一部において、吸収体２０を挟まずに、ホットメルト接着剤やヒートシール等により固着されるフラップを形成していてもよい。
【００２０】
［吸収体］
吸収体２０は、基材としての吸収性繊維と、高吸水性ポリマー（以下、ＳＡＰとも称する）と、を含有する。吸収性繊維は、一般に生理用ナプキン、おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体２０の吸収性繊維は、吸収性能及び肌触りを損なわないよう、１００ｇ／ｍ２以上８００ｇ／ｍ２以下の坪量とすることが好ましい。
【００２１】
吸収体２０の高吸水性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体２０のＳＡＰ量は、吸収性能及び肌触りを損なわないよう、５０ｇ／ｍ２以上５００ｇ／ｍ２以下の坪量とすることが好ましく、１５質量％以上６０質量％以下の含有量とすることが好ましい。
【００２２】
吸収体２０において、吸収性繊維及びＳＡＰの形態は、吸収性繊維中にＳＡＰ粒子を混合して形成した積層マットの形態であることが好ましい。また、ＳＡＰ粒子の漏洩防止や吸収体２０の形状の安定化の目的から、吸収体２０をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよい。
【００２３】
吸収体２０は、上層吸収体と下層吸収体とを積層してなるものであってもよい。この場合、上層吸収体と下層吸収体の長手方向及び幅方向の寸法は、上層吸収体の寸法が下層吸収体の寸法より大きくてもよく、上層吸収体の寸法が下層吸収体の寸法と同じであってもよく、上層吸収体の寸法が下層吸収体の寸法より小さくてもよい。
【００２４】
［圧搾溝］
図２は、本発明の吸収性物品１の前部１ａ及び股部１ｂの境界部における圧搾溝２１の拡大平面図であり、図３は、本発明の吸収性物品１の、股部１ｂ並びに前部１ａ及び後部１ｃにおける、着用時の変形の様子を示す図面である。本発明の吸収性物品１は、前部１ａ、股部１ｂ及び後部１ｃのそれぞれに、トップシート１０から吸収体２０に亘る圧搾溝２１を有しており、股部１ｂの圧搾溝２１は、前部１ａ及び後部１ｃの圧搾溝２１とそれぞれ連通している。換言すれば、本発明の吸収性物品１は、長手方向に沿って、前部１ａから股部１ｂを通過して後部１ｃに至る圧搾溝２１を有している。図２に示すように、本発明において、圧搾溝２１は、吸収性物品１の幅方向中心線を軸として左右対称に１対設けられていることが好ましく、前部１ａ及び後部１ｃにおける左右一対の圧搾溝２１は、吸収性物品１の長手方向両端部において連結し、弧を描く構成となっていることが好ましい。なお、圧搾溝２１は、股部１ｂの幅方向中央部を避けて設けることが好ましいが、このような構成とすることにより、吸収性物品１の体液排出部付近における肌当たりを良好なものとすることができる。
【００２５】
ここで、本発明においては、股部１ｂの圧搾溝２１の溝幅は、前部１ａ及び後部１ｃの圧搾溝２１の溝幅よりも広くなっており、前部１ａ及び後部１ｃの圧搾溝２１の深さは、股部１ｂの圧搾溝２１の深さよりも深くなっている。前部１ａ、股部１ｂ及び後部１ｃの圧搾溝２１の溝幅及び深さを、そのような構成とすることにより、前部１ａ及び後部１ｃの圧搾溝２１に到達した体液が、より早い速度で圧搾溝２１を拡散しやすくなり、吸収性物品１上の体液を、その長手方向両端部にまで十分に拡散させることができる。また、股部１ｂにおいて、圧搾溝２１の溝幅が広く設定されていることにより、図３に示すように、吸収性物品１の股部１ｂにおける着用時の変形が容易となり、排泄される体液の拡散が促進されるとともに、吸収性物品１のフィット性も改善する。したがって、吸収性物品１上の体液が、吸収体２０の全面で吸収されるので、体液が迅速に吸収されるとともに、体液の横漏れがより防止される。
【００２６】
ここで、本発明の吸収性物品１における圧搾溝２１の溝幅は、股部１ｂにおいては、２ｍｍ以上１２ｍｍ以下であることが好ましく、３ｍｍ以上６ｍｍ以下であることがより好ましい。また、圧搾溝２１の溝幅は、前部１ａ及び後部１ｃにおいては、１ｍｍ以上６ｍｍ以下であることが好ましく、１ｍｍ以上３ｍｍ以下であることがより好ましい。圧搾溝２１の溝幅を上記の範囲内のものとすることにより、吸収性物品１の着用者への着用感やフィット性を良好に維持するとともに、排泄された体液を圧搾溝２１で確実に保持し、かつ長手方向両端部に迅速に拡散させることができる。
【００２７】
本発明の吸収性物品１における圧搾溝２１の深さは、股部１ｂにおいては、吸収体２０の厚みに対して、３０％以上９０％以下であることが好ましく、４０％以上８０％以下であることがより好ましい。また、圧搾溝２１の深さは、前部１ａ及び後部１ｃにおいては、吸収体２０の厚みに対して、４０％以上９５％以下であることが好ましく、５０％以上９０％以下であることがより好ましい。圧搾溝２１の深さを上記の範囲内のものとすることにより、吸収体２０の吸収性能を良好に維持しつつも、圧搾溝２１の底部及び周囲の吸収体２０の密度が高密度となるため、排泄された体液を長手方向両端部に迅速に拡散させることができる。吸収体２０の厚さは、吸収性物品１の吸収性能によって異なるが、圧搾溝２１の深さは、吸収体２０の厚さとの関係で上記の条件を充足する範囲内で、股部１ｂにおいて０．５ｍｍ以上５ｍｍ以下とすることが好ましく、前部１ａ及び後部１ｃにおいて０．７ｍｍ以上７ｍｍ以下とすることが好ましい。
【００２８】
なお、以上の説明においては、前部１ａ及び後部１ｃと、股部１ｂとで、圧搾溝２１の溝幅及び深さを別々に調整する態様について説明したが、圧搾溝２１の溝幅及び深さは、前部１ａ及び後部１ｃ並びに股部１ｂで、それぞれ一定である必要はなく、股部１ｂから前部１ａ及び後部１ｃにかけて、圧搾溝２１の溝幅を徐々に狭くし、圧搾溝２１の深さを徐々に深くしてもよい。
【００２９】
本発明においては、前部１ａの圧搾溝２１及び股部１ｂの圧搾溝２１の連結点、並びに後部１ｃの圧搾溝２１及び股部１ｂの圧搾溝２１の連結点において、前部１ａの圧搾溝２１及び後部１ｃの圧搾溝２１が２本以上に分岐していることが好ましい。これにより、圧搾溝２１に保持される体液を、吸収性物品１の前部１ａ及び後部１ｃの吸収体２０の表面に、より広く拡散させることが可能となる。ここで、圧搾溝２１を吸収性物品１の幅方向中心線を軸として左右対称に配置している場合、前部１ａ及び後部１ｃで分岐した２対以上の圧搾溝２１は、長手方向両端部においてそれぞれ連結され、前部１ａ及び後部１ｃにおいて、圧搾溝２１が二重の又はそれ以上に重なった弧を描くような構成となっていてもよい。
【００３０】
［立体ギャザー］
吸収性物品１の身体接触側表面には、立体ギャザー５０が設けられていてもよい。この立体ギャザー５０は、トップシート１０とともに体液の閉じ込め空間を形成し、体液の横漏れを防止できるようになっている。立体ギャザー５０は、立体ギャザーシートと、立体ギャザーシートの自由端部に沿って配された伸縮性弾性部材と、を備えていることが好ましい。伸縮性弾性部材としては、天然ゴム、合成ゴム及びポリウレタン等からなる、糸状、紐状、平型形状のものを適宜使用することができる。
【００３１】
＜吸収性物品の製造方法＞
吸収性物品１の製造方法としては、特に限定はなく、従来公知の方法を採用することができ、例えば、必要に応じて、液拡散性シート及び立体ギャザー５０をあらかじめトップシート１０上に配置し、このトップシート１０とバックシート３０との間に吸収体２０を挟持し、トップシート１０から吸収体２０に亘る圧搾溝２１を形成させつつ、トップシート１０とバックシート３０とを一部又は全周に亘ってホットメルト接着剤やヒートエンボス、超音波エンボス、高周波エンボス等を用いて固定することで製造することができる。そして、これを包装体に個別包装した後、長手方向に３つ折り等にして折り畳めばよい。
【００３２】
以上、本発明を実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３３】
１      吸収性物品
１ａ    前部
１ｂ    股部
１ｃ    後部
１０    トップシート
２０    吸収体
２１    圧搾溝
３０    バックシート
５０    立体ギャザー
【図１】
2017086578.tif 000003
【図２】
2017086578.tif 000004
【図３】
2017086578.tif 000005